(57)【特許請求の範囲】
【請求項１】
トラスを形成する集成材の上縁部に係合させる一対の係合板１４，１４の間にターンバックル機構１６を機械的に介在させた取付け金物１７を設け、該取付け金物の一方の係合板１４上に支持アーム２０の基端部を枢着し、かつ、他方の係合板１４上と上記支持アーム２０の中途部との間に長さを変え得る方杖状角度調整金物２５を装備させてブラケット１１を形成し、該ブラケットの支持アーム２０に通路１２を組み付け、該通路には、適数の踏み板１３を角度調整自在に装備させたことを特徴とする集成材トラス用三次元ブラケット足場。
【請求項２】
トラスを形成する集成材の上縁部に係合させる一対の係合板１４，１４の間にターンバックル機構１６を機械的に介在させた取付け金物１７を設け、該取付け金物の一方の係合板１４上に支持アーム２０の基端部を枢着し、かつ、他方の係合板１４上と上記支持アーム２０の中途部との間に長さを変え得る方杖状角度調整金物２５を装備させてブラケット１１を形成し、該ブラケットの支持アーム２０に通路１２を組み付け、該通路では、上記支持アーム２０に手摺及び足場板３６を支持させたことを特徴とする集成材トラス用三次元ブラケット足場。
【請求項３】
トラスを形成する集成材の上縁部に係合させる一対の係合板１４，１４の間にターンバックル機構１６を機械的に介在させた取付け金物１７を設け、該取付け金物の一方の係合板１４上に支持アーム２０の基端部を枢着し、かつ、他方の係合板１４上と上記支持アーム２０の中途部との間に長さを変え得る方杖状角度調整金物２５を装備させたことを特徴とする集成材トラス用三次元ブラケット足場のブラケット。
【発明の詳細な説明】
【０００１】
【発明の属する技術分野】
本発明は、集成材トラス用三次元ブラケット足場とそのブラケットに関するものである。
卵型ドーム等の集成材トラスを用いた大規模な膜張り構造物では、屋根を構成する大型の集成材トラスは様々な角度で三次元に傾く場合があるが、このような状況にあっても、その集成材トラスに沿えてトラス構築途中での仕上げ材（内膜等）の保守、或いは、トラス接合部のボルトの増締め作業等に使用する通路足場は、床面を常に水平乃至ほぼ水平に保つことが安全上重要である。
本発明は、これら三次元に傾く集成材トラスにおける増締め等の作業を安全に行えるようにした足場に係るものである。
【０００２】
【従来の技術】
従来、大規模膜構造物の屋根トラスでは、伸縮ブラケットによる通路足場や吊りチェーンによる通路足場が用いられている。
前者は、伸縮ブラケットと単管とで通路を組み、足場板を敷き並べたものであり、また、後者は、上部吊り元からチェーンを下げ、該チェーンによりチェーンクランプを以て単管による通路を吊り、鋼製布板を敷き並べたものである。
【０００３】
【発明が解決しようとする課題】
しかし、伸縮ブラケットによる通路足場は、水平乃至ほぼ水平な部分だけが使用対象となるものであるため、上述のような様々な傾きを持った集成材トラスに取り付けるには、複雑な下地単管の組み立てを要し、その組み立て及び解体に多大な手数がかかり、コスト高を招くばかりでなく、高所作業が増大して、作業の危険性が高い。
また、吊りチェーンによる通路足場では、吊りチェーンの長さを変えることにより、三次元の傾きには或る程度対応できるが、揺れが大きく、不安感を生じさせる。更に、高所での吊り元を探っての様々な取り付け状態となるため、組み立てや解体には、手間がかかり、コスト高となり、かつ、作業の危険性が高い。
そこで、本発明は、三次元に傾く集成材トラスに対し、作業員が作業又は移動するための足元の床を常に水平乃至ほぼ水平にて取り付けることができるようにし、集成材トラスを損傷しないようにし、構成を簡素化、軽量化し、組み立て及び解体を容易にして施工性、安全性を向上させ、コストを低減しようとするものである。
【０００４】
【課題を解決するための手段】
かかる目的に鑑み、請求項１の集成材トラス用三次元ブラケット足場の発明は、トラスを形成する集成材の上縁部に係合させる一対の係合板１４，１４の間にターンバックル機構１６を機械的に介在させた取付け金物１７を設け、該取付け金物の一方の係合板１４上に支持アーム２０の基端部を枢着し、かつ、他方の係合板１４上と上記支持アーム２０の中途部との間に長さを変え得る方杖状角度調整金物２５を装備させてブラケット１１を形成し、該ブラケットの支持アーム２０に通路１２を組み付け、該通路には、適数の踏み板１３を角度調整自在に装備させたことを特徴とする。
【０００５】
請求項２の集成材トラス用三次元ブラケット足場の発明は、トラスを形成する集成材の上縁部に係合させる一対の係合板１４，１４の間にターンバックル機構１６を機械的に介在させた取付け金物１７を設け、該取付け金物の一方の係合板１４上に支持アーム２０の基端部を枢着し、かつ、他方の係合板１４上と上記支持アーム２０の中途部との間に長さを変え得る方杖状角度調整金物２５を装備させてブラケット１１を形成し、該ブラケットの支持アーム２０に通路１２を組み付け、該通路では、上記支持アーム２０に手摺及び足場板３６を支持させたことを特徴とする。
【０００６】
請求項３の集成材トラス用三次元ブラケット足場のブラケットの発明は、トラスを形成する集成材の上縁部に係合させる一対の係合板１４，１４の間にターンバックル機構１６を機械的に介在させた取付け金物１７を設け、該取付け金物の一方の係合板１４上に支持アーム２０の基端部を枢着し、かつ、他方の係合板１４上と上記支持アーム２０の中途部との間に長さを変え得る方杖状角度調整金物２５を装備させたことを特徴とする。
【０００７】
【発明の実施の形態】
図１乃至図４は、請求項１乃至請求項３の発明に係る集成材トラス用三次元ブラケット足場を、また、図５、図６は、該足場を用いる大規模な二重膜張り構造物の卵型ドームを示している。
【０００８】
卵型ドームは、図５、図６に示すように、集成材により卵型に形成した大型の屋根トラス（以下、集成材トラスという。）１を構築し、該集成材トラスの上に二重膜２，３を張っているが、この場合の集成材トラス１は、集成材による長辺方向トラス上弦材４、長辺方向トラス下弦材５、短辺方向アーチ材６と、鋼材による束材７、ラチス材８、ブレース９等とを、多数組み合わせて形成する。
そして、特に、長辺方向トラス上弦材４、長辺方向トラス下弦材５及び短辺方向アーチ材６は、いずれも断面長方形の二本の角材ａ，ｂを平行させ、中間部各所にスペーサーｃを介在させて接合した杉集成材を用いている。
卵型ドームのためのこの集成材トラス１では、長辺方向トラス上弦材４、長辺方向トラス下弦材５、短辺方向アーチ材６は、ほとんどが各所において様々な角度で三次元に傾いているが、請求項１及び請求項２の発明の集成材トラス用三次元ブラケット足場は、これらの部材の上に着脱自在に直接的に装着し、かつ、足元の床を常に水平乃至ほぼ水平に保つようにしている。
【０００９】
集成材トラス用三次元ブラケット足場１０は、図１に示すように、上記長辺方向トラス上弦材４、長辺方向トラス下弦材５又は短辺方向アーチ材６の上に、これらの部材に沿えて取り付けるが、その取り付けのための所要数の角度調整自在なブラケット１１と、これらのブラケットに組み付ける単管等による通路１２と、該通路に敷設する所要数の踏み板１３と、それらを組む各種のクランプとから成る。
【００１０】
ブラケット１１は、図２乃至図４に示すように、上記長辺方向トラス下弦材５等を構成する二本の角材ａ，ｂの上部内縁に当接係合させる逆Ｌ字状でかつ外向きの一対の係合板１４，１４を設け、両係合板の係合面にそれぞれ白ゴム１５を貼着し、両係合板の間にターンバックル機構１６を機械的に介在連繋させて取付け金物１７を設け、両係合板の上面から共通の起立面内においてそれぞれ孔付き二又起立片１８，１９を立設し、また、通路１２を受ける適宜長さのパイプによる支持アーム２０を設けて、該支持アームの基端に孔付き舌片２１を突設し、該孔付き舌片を一方の係合板１４の孔付き二又起立片１８に割りピン２３で抜け止めした頭付き横軸２２により枢着し、更に、支持アームの中途部に複数の横孔２４を配設し、これらの横孔のいずれか一に二又の方杖状角度調整金物２５の上端をボルト・ナット２６で着脱自在に連繋させるとともに、下端を上記他方の係合板１４の孔付き二又起立片１９にボルト・ナット２７で着脱自在に連繋させて成る。
ただし、方杖状角度調整金物２５は、長さの異なるものを適当数用意して、必要な長さのものを選択して使用するものとする。
なお、方杖状角度調整金物２５は、伸縮調整手段を備えたものでもよい。
【００１１】
単管による通路１２は、通路両側でそれぞれ桁行方向の上下２本の布管２８，２９を左右対にして配し、これらの布管の上下間所要各所で左右に腕管３０を架設し、かつ、通路両側の上下の布管２８，２９の所要各所からそれぞれ手摺子管３１を起立させ、これらの手摺子管に両側それぞれにて手摺管３２を架設して成り、これらの単管の組み合わせには、相応の３連又は２連の自在クランプ３３，３４を使用する。そして、通路両側の下布管２９の所要各所にそれぞれ上述のブラケット１１を２連の自在クランプ３４により接続する。
【００１２】
通路に敷設する所要数の踏み板１３は、それぞれ通路両側の布管２８，２９の間に収まり得る幅に形成し、それぞれ両側に角度調整自在な調整クランプ３５を備えて成り、それぞれを両側の調整クランプを以て通路両側の上布管２８に組み付けるとともに、傾きを適度に調整する。
【００１３】
かかる集成材トラス用三次元ブラケット足場１０は、取り付け箇所に対応させて適宜な長さでブロックごとに地組し、クレーンにより取り付けるべき長辺方向トラス下弦材５等の上に揚重して、各ブラケット１１の一対の係合板１４，１４をその長辺方向トラス下弦材５等の二本の角材ａ，ｂの上部内縁相互にそれぞれ白ゴム１５を以て当接係合させ、ターンバックル機構１６を拡張作動させて、両係合板を突っ張り状態にして固定させる。そして、隣接相互連繋させる。
取り外すときは、隣接相互の連繋を解き、各ブラケット１１のターンバックル機構１６を縮小作動させて、両係合板１４，１４の突っ張りを解き、クレーンにより揚重して取り外す。
取り外した集成材トラス用三次元ブラケット足場１０は、そのままで、或いは、各方杖状角度調整金物２５の交換、各踏み板１３の調整クランプ３４による角度調整等を適宜に行い、他の箇所に転用する。不要となったときには、全体を解体して、それぞれの部材を再利用すればよい。
なお、上記集成材トラス用三次元ブラケット足場１０は、取り付け箇所で全体的に或いは部分的に組み立て、解体することもできる。
【００１４】
ところで、単管による通路１２が、各ブラケット１１における方杖状角度調整金物２５の選定だけで水平乃至ほぼ水平になるときは、通路１２に両側の上下の布管及び角度調整する踏み板は必ずしも必要でなく、図２、図３に二点鎖線で示すように、各ブラケット１１の支持アーム２０相互に足場板３６をわたし、また、適宜なブラケット１１の支持アーム２０から２連の自在クランプ３４を介して直接的に手摺子管３１を片側又は両側にて起立させればよい。
なお、以上の実施形態では、ブラケット１１における取付け金物１７は一対の係合板１４，１４を外向きに突っ張らせるようにしているが、これを内向きに狭着させるようにしてもよい。
【００１５】
【発明の効果】
請求項１、請求項２、請求項３の発明によれば、既述構成であるから、次の効果を奏する。
（１）  三次元に複雑に傾くトラス（梁）であっても、作業床を常に水平に保持できることから、安全に高所作業を遂行できる。
（２）  足場を予め地組することができるだけでなく、高所での足場の取り付け、取り外し、解体がクレーンにて容易に行えることから、高所での危険作業を大幅に低減できる。
（３）  取り付け、取り外しが取付け金物の操作で簡単かつ容易に行えることから、足場転用回数を増加させることができ、仮設コストを低減できる。
（４）  係合板等のトラス（梁）に接続する部分を変更するだけで、Ｈ形鋼等にも対応させることができるので、幅広い水平展開が図れる。
（５）  集成材には損傷や汚れが生じ易く、その補修費用及び手間が多くかかるが、係合板を白ゴムを介して係合させることで損傷や汚れが付きにくくすることができる。
（６）  足場の軽量化、簡素化を図ることができ、組み立て、解体、取り扱い等を容易かつ迅速に行うことができる。
（７）  総じて、施工コストを大幅に低減できる。
【図面の簡単な説明】
【図１】請求項１及び請求項３の発明に係る実施の形態を示す截断斜視図である。
【図２】請求項２及び請求項３の発明に係る実施の形態を示す正面図である。
【図３】図２における通路の変形例を示す正面図である。
【図４】図１乃至図３におけるブラケットの分解斜視図である。
【図５】請求項１乃至請求項３の発明を適用する卵型ドームの截断側面図である。
【図６】図５の卵型ドームにおける要部の拡大截断斜視図である。
【符号の説明】
１…集成材トラス                ２，３…二重膜
４…長辺方向トラス上弦材        ５…長辺方向トラス下弦材
６…短辺方向アーチ材            ７…束材
８…ラチス材                    ９…ブレース
ａ，ｂ…角材
１０…集成材トラス用三次元ブラケット足場
１１…ブラケット                  １２…通路
１３…踏み板                            １４…係合板
１５…白ゴム                                        １６…ターンバックル機構
１７…取付け金物                  １８…孔付き二又起立片
１９…孔付き二又起立片            ２０…支持アーム
２１…孔付き舌片                                    ２２…頭付き横軸
２３…割りピン                                ２４…横孔
２５…方杖状角度調整金物          ２６…ボルト・ナット
２７…ボルト・ナット                            ２８…布管
２９…布管                                                ３０…腕管
３１…手摺子管                                  ３２…手摺管
３３…３連の自在クランプ          ３４…２連の自在クランプ
３５…調整クランプ                            ３６…足場板
【図１】
0003571866.tif 000002
【図２】
0003571866.tif 000003
【図３】
0003571866.tif 000004
【図４】
0003571866.tif 000005
【図５】
0003571866.tif 000006
【図６】
0003571866.tif 000007